【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
電力グリッドの少なくとも一部を管理し、複数の計器データ管理システムおよび複数のヘッドエンドシステムと通信する、中央電力グリッドシステムであって、前記計器データ管理システムは、コマンドを生成し、前記ヘッドエンドシステムは、１つ以上の計器と通信し、前記中央電力グリッドシステムは、
プロセッサとメモリを含むコンピューティング・デバイスであって、
複数の入力コネクタルーチンおよび複数の出力コネクタルーチンを含むゲートウェイレイヤであって、前記複数の入力コネクタルーチンは、前記中央電力グリッドシステムへデータを送信する複数のソースシステムのそれぞれと通信するための独立した少なくとも１つの入力コネクタルーチンを含み、前記ソースシステムは、前記中央電力グリッドシステムへデータを送信する前記複数の計器データ管理システムを含み、前記複数の出力コネクタルーチンは、複数のターゲットシステムのそれぞれと通信するための独立した少なくとも１つの出力コネクタルーチンを含み、前記ターゲットシステムは、前記中央電力グリッドシステムからデータを受信する前記複数のヘッドエンドシステムを含む、前記ゲートウェイレイヤと、
前記ゲートウェイレイヤとは通信するが、前記ソースシステムおよび前記ターゲットシステムとは通信しないコアレイヤであって、前記ゲートウェイレイヤにより前記複数のソースシステムから受信した通信が前記複数のターゲットシステムによる受信に適合するように、１対１変換を実行するように構成された複数のコアアダプタを含む、前記コアレイヤと、
を実行させるように構成された、前記コンピューティング・デバイス
を含む中央電力グリッドシステム。
【請求項２】
前記中央電力グリッドシステムへ送信される前記データは、前記複数の計器データ管理システムにより送信される接続／切断コマンドを含む、請求項１に記載の中央電力グリッドシステム。
【請求項３】
前記中央電力グリッドシステムへ送信される前記データは、前記複数の計器データ管理システムにより送信されるオンデマンド計器読み取りコマンドを含む、請求項１に記載の中央電力グリッドシステム。
【請求項４】
前記複数の入力コネクタルーチンは、前記複数の計器データ管理システムと通信するための独立した複数の入力コネクタルーチンを含み、
前記複数の出力コネクタルーチンは、前記複数のヘッドエンドシステムと通信するための独立した複数の出力コネクタルーチンを含む、請求項１に記載の中央電力グリッドシステム。
【請求項５】
前記計器データ管理システムのそれぞれは、独立した複数の入力コネクタルーチンに関連し、
前記ヘッドエンドシステムのそれぞれは、独立した複数の出力コネクタルーチンに関連する、請求項４に記載の中央電力グリッドシステム。
【請求項６】
前記計器データ管理システムのそれぞれに関連する前記独立した複数の入力コネクタルーチンは、異なるネットワークプロトコルを含む、請求項５に記載の中央電力グリッドシステム。
【請求項７】
前記異なるネットワークプロトコルは、ファイル転送プロトコル（ＦＴＰ）、ｊａｖａメッセージサービス（ＪＭＳ）およびハイパーテキスト転送プロトコル（ＨＴＴＰ）から成る群から選択される、請求項６に記載の中央電力グリッドシステム。
【請求項８】
前記複数の入力コネクタルーチンは、前記複数のヘッドエンドシステムのそれぞれと通信するための独立した少なくとも１つの入力コネクタルーチンをさらに含み、
前記複数の出力コネクタルーチンは、前記複数の計器データ管理システムのそれぞれと通信するための少なくとも１つの出力コネクタルーチンをさらに含む、請求項４に記載の中央電力グリッドシステム。
【請求項９】
前記ヘッドエンドシステムのそれぞれは、独立した入力コネクタルーチンに関連し、
前記計器データ管理システムのそれぞれは、独立した出力コネクタルーチンに関連する、請求項８に記載の中央電力グリッドシステム。
【請求項１０】
前記中央電力グリッドシステムは、前記ゲートウェイレイヤと前記コアレイヤとの間をインターフェース接続するコネクタサービスインターフェースレイヤをさらに含み、前記コネクタサービスインターフェースレイヤは、前記ゲートウェイレイヤによる通信の受信に応答して、前記コアレイヤを呼び出す、請求項１に記載の中央電力グリッドシステム。
【請求項１１】
前記コアアダプタは、前記複数の前記ソースシステムのそれぞれから前記複数のターゲットシステムのそれぞれへの通信の１対１変換を実行するようさらに構成されている、請求項１に記載の中央電力グリッドシステム。
【請求項１２】
前記コアアダプタは、前記複数の前記計器データ管理システムのそれぞれから前記複数のヘッドエンドシステムのそれぞれへの通信の１対１変換を実行するよう構成されている、請求項１１に記載の中央電力グリッドシステム。
【請求項１３】
前記コアアダプタは、前記複数の前記ヘッドエンドシステムのそれぞれから前記複数の計器データ管理システムのそれぞれへの通信の１対１変換を実行するようさらに構成されている、請求項１２に記載の中央電力グリッドシステム。
【請求項１４】
電力グリッドの少なくとも一部を管理し、複数の計器データ管理システムおよび複数のヘッドエンドシステムと通信する、中央電力グリッドシステムであって、前記計器データ管理システムは、コマンドを生成し、前記ヘッドエンドシステムは、１つ以上の計器と通信し、前記中央電力グリッドシステムは、
プロセッサとメモリを含むコンピューティング・デバイスであって、
複数の入力コネクタルーチンおよび複数の出力コネクタルーチンを含むゲートウェイレイヤであって、前記複数の入力コネクタルーチンは、前記中央電力グリッドシステムへデータを送信する複数のソースシステムのそれぞれと通信するための独立した少なくとも１つの入力コネクタルーチンを含み、前記ソースシステムは、前記中央電力グリッドシステムへデータを送信する前記複数のヘッドエンドシステムを含み、前記複数の出力コネクタルーチンは、複数のターゲットシステムのそれぞれと通信するための独立した少なくとも１つの出力コネクタルーチンを含み、前記ターゲットシステムは、前記中央電力グリッドシステムからデータを受信する前記複数の計器データ管理システムを含む、前記ゲートウェイレイヤと、
前記ゲートウェイレイヤとは通信するが、前記ソースシステムおよび前記ターゲットシステムとは通信しないコアレイヤであって、前記ゲートウェイレイヤにより前記複数のソースシステムから受信した通信が前記複数のターゲットシステムによる受信に適合するように、１対１変換を実行するように構成された複数のコアアダプタを含む、前記コアレイヤと、
を実行させるように構成された、前記コンピューティング・デバイス
を含む中央電力グリッドシステム。
【請求項１５】
前記ゲートウェイレイヤと前記コアレイヤとの間をインターフェース接続するコネクタサービスインターフェースレイヤをさらに含み、前記コネクタサービスインターフェースレイヤは、前記ゲートウェイレイヤによる通信の受信に応答して、前記コアレイヤを呼び出す、請求項１４に記載の中央電力グリッドシステム。
【請求項１６】
前記コアアダプタは、前記複数の前記ソースシステムのそれぞれから前記複数のターゲットシステムのそれぞれへの通信の１対１変換を実行するようさらに構成されている、請求項１４に記載の中央電力グリッドシステム。
【請求項１７】
前記中央電力グリッドシステムへ送信される前記データは、前記複数のヘッドエンドシステムにより送信される定期的な計器読み取りを含む、請求項１４に記載の中央電力グリッドシステム。
【請求項１８】
前記複数の入力コネクタルーチンは、前記複数のヘッドエンドシステムと通信するための独立した複数の入力コネクタルーチンを含み、
前記複数の出力コネクタルーチンは、前記複数の計器データ管理システムと通信するための独立した複数の出力コネクタルーチンを含む、請求項１４に記載の中央電力グリッドシステム。